(57)【要約】【課題】客が買い上げた商品を収納するのに必要な買物袋にポイントを付与することができるようになる。【解決手段】ＰＯＳ端末１０は、スキャナ３０を介してバーコード５から読み取った商品データに基づいて販売商品の大きさに関するデータを取得し、このデータに基づいて１取引で販売される商品を収容するのに必要な買物袋データと、この買物袋データに対応したポイントを換算する。客が買物袋を用いない場合には、１取引に用いる買物袋に対応したポイントを客に付与する。【選択図】      図１
2008171259.tif 000002
【特許請求の範囲】
【請求項１】
データ入力手段により商品データが入力されると、この商品データに基づいて商品販売データを処理し、締め宣言手段により１取引の締めが宣言されると、この１取引の商品販売データに基づいて当該１取引の会計データを処理する商品販売データ処理装置において、
買物袋のサイズ別に最大収納容量を記憶する袋容量記憶手段と、
前記データ入力手段により入力された商品データに基づいて販売商品の体積値を取得する商品データ取得手段と、
この商品データ取得手段により得られた前記販売商品の体積値に基づき前記袋容量記憶手段により記憶された袋サイズ別の最大収納容量を参照することで、１取引で販売される商品を収容するのに必要な買物袋データを導出する買物袋導出手段と、
この買物袋導出手段により導出された買物袋データをポイントに換算するポイント換算手段と、
このポイント換算手段により換算されたポイントを出力するポイント出力手段と、
を具備したことを特徴とする商品販売データ処理装置。
【請求項２】
前記買物袋が不要又は必要である旨を宣言する買物袋宣言手段と、
この買物袋宣言手段による宣言の有無に従い前記買物袋の不要・必要を識別する情報を記憶する袋判定情報記憶手段と、
前記締め宣言手段により１取引の締めが宣言されたことに応じて、前記袋判定情報記憶手段で記憶されている情報から買物袋が必要か否かを判断する判断手段と、をさらに具備し、
前記ポイント出力手段は、前記判断手段により前記買物袋が不要であると判断されたことを条件にポイントを出力することを特徴とする請求項１記載の商品販売データ処理装置。
【請求項３】
前記ポイント出力手段は、前記ポイント換算手段により換算されたポイントを紙葉類に印刷する手段であることを特徴とする請求項１または２に記載の商品販売データ処理装置。
【請求項４】
前記ポイント出力手段は、前記ポイント換算手段により換算されたポイントを記録媒体に記録させる手段であることを特徴とする請求項１または２に記載の商品販売データ処理装置。
【発明の詳細な説明】
【技術分野】
【０００１】
本発明は、ＰＯＳ端末などの商品販売データ処理装置に係り、特に、スーパーマーケット等で商品を購入した客に提供する商品運搬用の買物袋を持参した客にポイントを付与する運用に対応し得る商品販売データ処理装置に関する。
【背景技術】
【０００２】
現在、我が国を含め世界各地で環境保護に対してさまざまな取り組みがなされている。特に、資源の枯渇やゴミの処理問題等から、スーパーマーケット等の小売業等で商品購入により提供されるポリエチレン製等の買物袋の使用を低減させる取り組みがなされてきている。
【０００３】
例えば、スーパーマーケットで商品を購入した消費者（買物客）が自分で買物袋を持参し、会計時に店員にポリエチレン製買物袋を不要と申しでる取組みや、このような取組みを小売業側が買物客に推奨することによりポリエチレン製買物袋の使用を低減させる努力がなされている。しかし、ポリエチレン製買物袋の使用を低減することにより、小売業側は雑費等を低減させるという副産物が付加されるが、買物客側にとってみれば買物袋を店舗に持っていく手間が増えるということ等の容認によりこれらの取組みがなかなか浸透しないことがあった。
【０００４】
そこで、買物客が買物袋を持参し、ポリエチレン製買物袋を不要とした場合に、一定のポイントを買物客に与え、このポイントにより買物客に特定のサービス（例えば粗品や割引券の提供）等を行うスーパーマーケット等の店舗がある。このような店舗では、例えばレシートや買物客の情報が入った会員カード等に、ＰＯＳ端末等の商品販売データ処理装置によりポイント付与することが可能なポイント処理方式が用いられている（例えば、特許文献１参照）。
【特許文献１】特開平５−６７２７４号公報
【発明の開示】
【発明が解決しようとする課題】
【０００５】
しかしながら、従来のポイント処理方式は、買物者が買物袋を持参した場合に、一定のポイントのみを買物者に与える処理方式であり、買物客が購入した商品に対応したポリエチレン製買物袋の使用量に対応したポイントが付与されるわけではない。このため、一定のポイントしか付与されないことによる不平感等から、買物者は、ポリエチレン製買物袋の使用の低減の取組みに対して積極的に参加することがなく、なかなか浸透しないという問題があった。
【０００６】
また、購入した商品に対応したポリエチレン製買物袋の選択を、店員が選択を行うと、店員の感覚による使用買物袋の枚数や大きさに差が生じる。これにより、店員が買物袋を選択すると、感覚の差によりポイントにもばらつきが生じるため、買物客が不平感を感じることでクレームの原因となることや、店員のレジスタ処理能力の低下等の要因となってしまう問題もあった。
【０００７】
本発明は、このような事情に基づいてなされたもので、その目的とするところは、買物袋を持参した買物客に対して、その買物客が購入した商品を収容するのに適した買物袋に相当するポイントを付与できる商品販売データ処理装置を提供しようとするものである。
【課題を解決するための手段】
【０００８】
本発明は、データ入力手段により商品データが入力されると、この商品データに基づいて商品販売データを処理し、締め宣言手段により１取引の締めが宣言されると、この１取引の商品販売データに基づいて当該１取引の会計データを処理する商品販売データ処理装置において、買物袋のサイズ別に最大収納容量を記憶する袋容量記憶手段と、前記データ入力手段により入力された商品データに基づいて販売商品の体積値を取得する商品データ取得手段と、この商品データ取得手段により得られた前記販売商品の体積値に基づき前記袋容量記憶手段により記憶された袋サイズ別の最大収納容量を参照することで、１取引で販売される商品を収容するのに必要な買物袋データを導出する買物袋導出手段と、この買物袋導出手段により換算された買物袋データをポイントに換算するポイント換算手段と、このポイント換算手段により換算されたポイントを出力するポイント出力手段とを具備したものである。
【発明の効果】
【０００９】
かかる手段を講じた本発明によれば、買物袋を持参した買物客に対して、その買物客が購入した商品を収容するのに適した買物袋に相当するポイントを付与できる商品販売データ処理装置を提供できる。
【発明を実施するための最良の形態】
【００１０】
以下、本発明の一実施の形態を、図面を参照して説明する。  
なお、この実施の形態は、スーパーマーケットにおける会計場（チェックアウトカウン）に設置されているＰＯＳ（Ｐｏｉｎｔ  Ｏｆ  Ｓａｌｅｓ）端末を含む商品販売データ処理装置に本発明を適用した場合である。
【００１１】
図１は本実施の形態の商品販売データ処理装置１の要部構成を示すブロック図、図２は同商品販売データ処理装置１に用いられるＰＯＳ端末１０の要部構成を示すブロック図、図３は同商品販売データ処理装置１に用いられる袋選択装置４０の要部構成を示すブロック図である。
【００１２】
図１に示すように、商品販売データ処理装置１は、ＰＯＳ端末１０と、スキャナ３０と、袋選択装置４０とで構成されており、ＰＯＳ端末１０とスキャナ３０とは、店舗の会計カウンタ２に設置されている。スキャナ３０は、買物客が購入するために例えば買物カゴ３等に入れられた各商品４にそれぞれ取り付けられているＪＡＮコード等のバーコード５を読み取るもので、読み取られたデータは、第１通信ケーブル６を介してＰＯＳ端末１０に入力されるようになっている。ＰＯＳ端末１０と袋選択装置４０とは、第２通信ケーブル７を介して接続されている。図示しないが、袋選択装置４０には複数台のＰＯＳ端末１０が接続されている。
【００１３】
図２に示すように、ＰＯＳ端末１０は、制御部本体としてＣＰＵ（Ｃｅｎｔｒａｌ  Ｐｒｏｃｅｓｓｉｎｇ  Ｕｎｉｔ）１１を搭載している。また、プログラム等の固定的データが予め格納されたＲＯＭ（Ｒｅａｄ  Ｏｎｌｙ  Ｍｅｍｏｒｙ）１２と、商品販売データの処理や会計データの処理等で必要なデータの格納エリアが形成されたＲＡＭ（Ｒａｎｄｏｍ  Ａｃｃｅｓｓ  Ｍｅｍｏｒｙ）１３と、日付及び時刻を計時する時計部１４と、ＬＡＮ（Ｌｏｃａｌ  Ａｒｅａ  Ｎｅｔｗｏｒｋ）等の通信回線を介して接続されたストアコンピュータとの間のデータ通信を制御する通信コントローラ１５と、ポイントカードに対するデータの書込等を処理するポイントカード処理部１６と、第１通信ケーブル６を介してスキャナ３０と接続されるスキャナインターフェイス（以下スキャナＩ／Ｆ）１７と、第２通信ケーブル７を介して袋選択装置４０と接続される袋選択装置インターフェイス（以下袋選択装置Ｉ／Ｆ）１８と、ＰＯＳ端末１０に情報を入力するキーボードコントローラ１９と、第１表示コントローラ２０と、第２表示コントローラ２１と、プリンタコントローラ２２と、Ｉ／Ｏ（Ｉｎｐｕｔ／Ｏｕｔｐｕｔ）ポート２３とを備え、これら構成品は、ＣＰＵ１１にアドレスバス、データバス等のバスライン１１１により接続されている。
【００１４】
キーボードコントローラ１９には、少なくとも締め宣言手段としての締めキー２４１と、買物袋不要の場合に操作される買物袋宣言手段としての袋不要キー２４２とが配設されたキーボード２４が接続されている。
【００１５】
第１表示コントローラ２０には、オペレータに対して商品販売データや会計データ等を表示するためのオペレータ用ディスプレイ２５が接続されている。第２表示コントローラ２１には、買物客に対して商品販売データや会計データ等を表示するための客用ディスプレイ２６が接続されている。
【００１６】
プリンタコントローラ２２には、レシート等に商品データや会計データ等の印字及び発行を行うためのプリンタ２７が接続されている。  
Ｉ／Ｏポート２３には、例えば締めキー２４１等を使用した場合に、このＩ／Ｏポート２３から出力される駆動信号によって開放動作するドロワ２８が接続されている。
【００１７】
図３に示すように、袋選択装置４０は、制御を行うためのＣＰＵで主に構成された制御部４１を搭載している。また、会計場に設けられた複数のＰＯＳ端末１０とそれぞれ第２通信ケーブル７を介して接続される複数のＰＯＳ端末インターフェイス（以下ＰＯＳ端末Ｉ／Ｆ）４２と、商品４の容積（体積）や買物袋の容積等の情報を記憶している記憶部４３と、この記憶した情報を入出力する際に情報を表示する表示部４４と、商品４の体積や買物袋の容積等を記憶部４３に入力する入力部４５とを備え、これらの構成品は、制御部４１にアドレスバス、データバス等のバスライン４１１により接続されている。
【００１８】
図４は買物袋に関する情報が予め設定された買物袋マスターファイル５１を示す説明図、図５は商品に関する情報が予め設定された商品マスターファイル５２を示す説明図である。これらのマスターファイル５１，５２は、前記ストアコンピュータに記憶されている。
【００１９】
図４に示すように、買物袋マスターファイル５１には、買物袋をサイズによって識別する袋区分データ（袋ＩＤ）に対応して、サイズ名称情報と、袋容積情報とポイント情報とが設定記憶されている。ここで、買物袋のサイズは、例えば３サイズ（大、中、小）とし、容積（容量）が大に分類される買物袋の袋区分データ（袋ＩＤ）をＸ１、容量が中に分類される買物袋の袋区分データ（袋ＩＤ）をＸ２、容量が小に分類される買物袋の袋区分データ（袋ＩＤ）をＸ３とする。そして、容量が大に分類される買物袋の最大容量１Ｘｍａｘを１０．０Ｌ（リットル）とし、容量が中に分類される買物袋の最大容量Ｘ２ｍａｘを７．５Ｌとし、容量が小に分類される買物袋の最大容量Ｘ３ｍａｘを３．０Ｌとする。
【００２０】
また、各買物袋Ｘ１〜Ｘ３には、各買物袋１枚当たりにポイントＰ１〜Ｐ３がそれぞれ振り分けられており、例えば買物袋Ｘ１のポイントＰ１は１０ポイント、買物袋Ｘ２のポイントＰ２は８ポイント、買物袋Ｘ３のポイントＰ３は３ポイントと設定する。すなわち、買物袋のサイズが大きいほど大きいポイントを付与するようにしている。
【００２１】
ストアコンピュータは、買物袋マスターファイル５１の各データを、店舗で使用する買物袋の変更や曜日によるポイント付加イベント等に応じて変更する。そして、最新の買物袋マスターファイル５１のデータをＰＯＳ端末１０のＲＡＭ１３と袋選択装置４０の記憶部４３とにそれぞれダウンロードするようになっている。
【００２２】
図５に示すように、商品マスターファイル５２には、各商品に付された商品固有のＪＡＮコードに対応して、その商品の名称，単価及び体積等の商品データが設定記憶されている。各商品には、その商品固有のＪＡＮコードがバーコードとなって付されている。
【００２３】
ＰＯＳ端末１０は、図６に示す手順でＣＰＵ１１が１取引に関するデータ処理を実行するようにプログラム構成されている。なお、このプログラムはＰＯＳ端末１０のＲＯＭ１２に記憶されている。
【００２４】
ＣＰＵ１１は、まず、ステップ（以下ＳＴ）１として初期化処理を行う。この初期化処理は、前回の買物客の商品データを初期化することで、会計ミスを行わないようにし、新たな買物客の商品データを入力するために行う。この初期化処理において、ＲＡＭ１３に形成されている体積合計メモリのデータＶも“０”にクリアされる。
【００２５】
次に、ＣＰＵ１１は、ＳＴ２としてスキャナ３０により商品４に付与されたバーコード５のデータが読み取られるのを待機する。バーコード５が読み取られ、そのバーコードデータがスキャナＩ／Ｆ１７を介して入力されると、ＣＰＵ１１は、ＳＴ３としてそのバーコードデータに基づいて商品販売データの処理を実行する。すなわちＣＰＵ１１は、バーコード５から読み取られたＪＡＮコードを、ストアコンピュータに通信コントローラ１５を介して送信する。すると、ストアコンピュータでは、ＪＡＮコードから商品マスターファイル５２を検索して当該商品の品名、価格及び体積を読み出し、これら読み出した商品データを、通信コントローラ１５を介してＰＯＳ端末１へ送る（商品データ取得手段）。そこでＣＰＵ１１は、この商品データの価格と販売点数（バーコードの読み取り直前に数値データがキー入力されている場合にはその数値，数値データがキー入力されていない場合は１）とに基づいて商品販売データを取得し、ＲＡＭ１３に登録処理する。また、オペレータ用ディスプレイ２５と客用ディスプレイ２６とに品名，価格等を表示させる。
【００２６】
商品販売データを処理後、ＣＰＵ１１は、ＳＴ４として商品データ中の体積と販売点数とを乗算し、その積を合計体積メモリのデータＶに加算する。
【００２７】
次に、ＣＰＵ１１は、ＳＴ５として袋不要キー２４２が操作入力されたか否かを判断する。袋不要キー２４２が操作入力されていない場合には、ＳＴ９の処理に進む。
【００２８】
袋不要キー２４２が操作入力された場合には、ＣＰＵ１１は、ＳＴ６として袋不要フラグＦの状態を調べる。この袋不要フラグＦは、ＣＰＵ１１が買物袋を不要とする客との商取引か否かを判定する際に用いる情報であり、ＲＡＭ１３に記憶され、ＳＴ１の初期化処理にて“０”にリセットされている。本実施の形態では、“１”のとき、買物袋が不要である旨を示す情報とし、“０”のとき買物袋が必要である旨を示す情報とする。この逆でもよい。
【００２９】
ＳＴ６にて袋不要フラグＦが“０”にリセットされていた場合には、ＣＰＵ１１は、ＳＴ７としてこの袋不要フラグＦを“１”にセットする。他方、袋不要フラグＦがすでに“１”にセットされていた場合には、ＣＰＵ１１は、ＳＴ８として袋不要フラグＦを“０”にリセットする。しかる後、ＣＰＵ１１は、ＳＴ９の処理に進む。ここで、袋不要フラグＦが“０”のときには買物袋が必要である旨を、“１”のときには買物袋が不要である旨を、オペレータ用ディスプレイ２５及び客用ディスプレイ２６の双方又はどちらか一方に表示するようにしてもよい。
【００３０】
ＳＴ９では、ＣＰＵ１１は、締めキー２４１が操作入力されたか否かを判断する。ここで、締めキー２４１が操作入力されていない場合には、ＳＴ２の処理に戻る。そして、バーコードが読み取られるのを待機し、バーコードが読み取られたならば、ＳＴ３からの処理を再度実行する。
【００３１】
ＳＴ９にて、締めキー２４１の操作入力を検知した場合には、ＣＰＵ１１は、ＳＴ１０として登録締め処理を実行する。例えば、現金取引の場合には、ＲＡＭ１３に登録処理された１取引の商品販売データから算出される合計金額と、キー入力された預かり金額とから釣銭額を算出し、オペレータ用ディスプレイ２５及び客用ディスプレイ２６に表示させる。
【００３２】
しかる後、ＣＰＵ１１は、ＳＴ１１として袋選択装置Ｉ／Ｆ１８を介して袋選択装置４０に体積合計メモリのデータＶを送信し、サイズ別買物袋枚数情報を要求する。この要求に対し、袋選択装置４０では、後述する買物袋選択処理が実行される。そして、１取引で販売される商品を収容するのに必要な買物袋のサイズに関する情報（袋ＩＤ，サイズ名称）とその枚数が導出され、ＰＯＳ端末１０に通知される（買物袋導出手段）。
【００３３】
そこでＣＰＵ１１は、ＳＴ１２として袋選択装置４０から買物袋のデータ（袋ＩＤ，サイズ名称，枚数）が送られてくるのを待機する。そして、買物袋のデータを受信したならば、ＳＴ１３としてこのデータをＲＡＭ１３に一時的に記憶する。
【００３４】
次に、ＣＰＵ１１は、ＳＴ１４として袋不要フラグＦをチェックする。ここで、袋不要フラグが“０”にリセットされていた場合には、買物袋を必要とする客との商取引なので、ＣＰＵ１１は、ＳＴ１５としてＲＡＭ１３に記憶した買物袋のデータを基に必要な買い物袋のサイズ名称とその枚数とをオペレータ用ディスプレイに表示させる。
【００３５】
これに対し、袋不要フラグが“１”にセットされていた場合には、買物袋を不要と申し出た客との商取引なので、ＣＰＵ１１は、ＳＴ１６として買物袋のデータをポイントに換算する（ポイント換算手段）。このポイント換算処理についても後述する。
【００３６】
買物袋データに相当するポイントを換算後、ＣＰＵ１１は、ＳＴ１７として、客がポイントを貯めるためのポイントカードがポイントカード処理部にセットされているか否かを判断する。セットされている場合には、ＳＴ１８としてそのカードのポイントデータに今回換算されたポイントを加算する。セットされていない場合には、ＳＴ１９としてプリンタ２７を駆動して、今回換算したポイントをレシート用紙に印字し、ポイント券として発行する（ポイント出力手段）。以上で、この客との商取引に対する処理を終了する。
【００３７】
次に、袋選択装置４０の制御部４１で実行される買物袋選択処理について説明する。この買物袋選択処理において、図７は買物袋の選択処理に用いられるワークテーブルを示す説明図、図８は買物袋選択処理を示す流れ図である。
【００３８】
図７に示すように、店舗で使用する袋区分データ（袋ＩＤ）をＸ１〜Ｘ３の３種類とした場合に、必要枚数をそれぞれＸｎ１〜Ｘｎ３とし、それぞれの最大容量Ｘ１ｍａｘ〜Ｘ３ｍａｘとする。また、商品体積Ｖは、ＳＴ１１の処理でＰＯＳ端末１０から送出される体積合計メモリのデータである。判定回数ｎは、買物袋毎に必要枚数を計数するためのカウンタである。
【００３９】
図８に示すように、買物袋選択処理として、制御部４１は、まずＳＴ２１として判定回数ｎを“０”に初期化する。次に、ＳＴ２２として商品体積Ｖと袋区分データＸ１の最大容量Ｘ１ｍａｘとの比較を行う。商品体積Ｖが最大容量Ｘ１ｍａｘと同等又は大きい場合には、（ＳＴ２２、ＹＥＳ）、ＳＴ２３として判定回数ｎを“１”だけカウントアップする。
【００４０】
次に、ＳＴ２４として商品体積Ｖから、袋ＩＤＸ１の最大容量Ｘ１ｍａｘを減算する。そして、ＳＴ２２に戻り、商品体積Ｖと袋区分データＸ１の最大容量Ｘ１ｍａｘとの比較を再度行う。こうして、商品体積Ｖが袋ＩＤＸ１の最大容量Ｘ１ｍａｘよりも小さくなるまでＳＴ２２〜ＳＴ２４の処理を繰り返す。そして、商品体積Ｖが袋ＩＤＸ１の最大容量Ｘ１ｍａｘよりも小さくなったならば、ＳＴ２５として判定回数ｎを袋区分Ｘ１の必要枚数Ｘｎ１としてセットする。
【００４１】
次に、ＳＴ２６として判定回数ｎを再び“０”にリセットする。そして、ＳＴ２７として商品体積Ｖと袋区分データＸ２の最大容量Ｘ２ｍａｘとの比較を行う。商品体積Ｖが最大容量Ｘ２ｍａｘと同等又は大きい場合には、（ＳＴ２７、ＹＥＳ）、ＳＴ２８として判定回数ｎを“１”だけカウントアップする。次に、ＳＴ２９として商品体積Ｖから、袋ＩＤＸ２の最大容量Ｘ２ｍａｘを減算する。そして、ＳＴ２７に戻り、商品体積Ｖと袋区分データＸ２の最大容量Ｘ２ｍａｘとの比較を再度行う。こうして、商品体積Ｖが袋ＩＤＸ２の最大容量Ｘ２ｍａｘよりも小さくなるまでＳＴ２７〜ＳＴ２９の処理を繰り返す。そして、商品体積Ｖが袋ＩＤＸ２の最大容量Ｘ２ｍａｘよりも小さくなったならば、ＳＴ３０として判定回数ｎを袋区分Ｘ２の必要枚数Ｘｎ２としてセットする。
【００４２】
次に、ＳＴ３１として判定回数ｎを再び“０”にリセットする。そして、ＳＴ３２として商品体積Ｖと袋区分データＸ３の最大容量Ｘ３ｍａｘとの比較を行う。商品体積Ｖが最大容量Ｘ３ｍａｘと同等又は大きい場合には、（ＳＴ３２、ＹＥＳ）、ＳＴ３３として判定回数ｎを“１”だけカウントアップする。次に、ＳＴ３４として商品体積Ｖから、袋ＩＤＸ３の最大容量Ｘ３ｍａｘを減算する。そして、ＳＴ３２に戻り、商品体積Ｖと袋区分データＸ３の最大容量Ｘ３ｍａｘとの比較を再度行う。こうして、商品体積Ｖが袋ＩＤＸ３の最大容量Ｘ３ｍａｘよりも小さくなるまでＳＴ３２〜ＳＴ３４の処理を繰り返す。そして、商品体積Ｖが袋ＩＤＸ３の最大容量Ｘ３ｍａｘよりも小さくなったならば、ＳＴ３５として商品体積Ｖ＝０を満たしているかどうかの判定を行う。ここで、Ｖ≠０の場合（ＳＴ３５、ＮＯ）には、ＳＴ３６として、さらに判定回数ｎを”１”だけカウントアップする。Ｖ＝０の場合（ＳＴ３５、ＹＥＳ）には、判定回数ｎのカウントアップは行わない。次に、制御部４１は、ＳＴ３７として判定回数ｎを袋区分Ｘ３の必要枚数Ｘｎ３としてセットする。
【００４３】
以上で、ＰＯＳ端末１０から送られてきた合計体積メモリのデータＶに対するサイズ別買物袋枚数Ｘｎ１，Ｘｎ２，Ｘｎ３が換算されたので、制御部４１は、ＳＴ３８としてこのサイズ別買物袋枚数Ｘｎ１，Ｘｎ２，Ｘｎ３を含む買物袋データを該当するＰＯＳ端末１０に送信する。
【００４４】
なお、ＳＴ２１からＳＴ３８までの袋選択処理は、買物袋最大容量Ｘｍａｘと商品体積Ｖとの比較で行ったが、図５に示すように、各商品４は、それぞれの体積は統一されていない。このため、袋判定を行う場合に、これらのことを考慮した上で判定を行うようにしてもよい。例えば、ＳＴ２２、ＳＴ２７及びＳＴ３２等で商品体積Ｖと袋最大容量Ｘｍａｘとの比較で、商品体積Ｖが袋最大容量Ｘｍａｘよりも大きかったとしても、袋最大容量Ｘｍａｘには、他の商品の体積との兼ね合いで入りきらない等が起こりえる。このため、このような現象を回避するためのステップを袋選択処理に組み込むようにする。
【００４５】
次に、図６のＳＴ１６に示すポイント換算処理について図９を用いて説明する。図９はポイント換算処理を示す流れ図である。ポイント換算処理は、図９に示すように、ＳＴ４１として、図８のＳＴ２１〜３７で買物袋の選択を行うことで得られた買物袋データを受信する。次にＳＴ４２として、各袋ＩＤＸ１〜Ｘ３それぞれの必要枚数Ｘｎ１〜Ｘｎ３からポイントＰ１〜Ｐ３を換算する。例えば、図４に示すように、各袋ＩＤＸ１〜Ｘ３にはそれぞれのポイントＰ１〜Ｐ３が設定されている（図４中ではＰ１＝１０、Ｐ２＝８、Ｐ３＝３）。この設定ポイントＰ１〜Ｐ３に、各袋選択枚数Ｘｎ１〜Ｘｎ３の枚数分が各ポイントとなる。すなわち、袋ＩＤＸ１のポイントＰ１は、Ｐ１＝Ｐ１×Ｘｎ１、同様に袋ＩＤＸ２のポイントＰ２＝Ｐ２×Ｘｎ２、袋ＩＤＸ３のポイントＰ３＝Ｐ３×Ｘｎ３となる。
【００４６】
ＳＴ４３で、各ポイントＰ１〜Ｐ３の合計が１取引で使用される買物袋に対してのポイントＰとなる。すなわち、１取引のポイントＰ＝Ｐ１＋Ｐ２＋Ｐ３となる。
【００４７】
このような買物袋選択処理及びポイント換算処理について、図１０に示す内容の１取引のデータを例を用いて説明する。１取引において、買物客が商品を７点購入し、オペレータが商品４のバーコード５をスキャナ３０により読み取る。これにより、商品４の商品体積Ｖがストアコンピュータにより算出される。図１０中では商品総体積Ｖは１０．３Ｌとなる。これらの情報から、袋選択処理（ＳＴ７）を行うことにより、商品数５個で商品容積Ｖが８．８Ｌとなるため袋ＩＤＸ１を１枚使用し、商品数２個で商品容積Ｖが１．５Ｌとなるため、袋ＩＤＸ３を１枚使用するという袋選択がなされる。
【００４８】
この場合に、買物客が袋を使用しないとオペレータに伝えることで、買物客には、ポイントＰ＝１０＋３＝１３が付与されることとなる。上述にもあるように、買物客はポイントをためることにより、金券や割引等の各種サービスを受けることが可能となる。このようなサービスにすることで、買物客が買物袋を持参する取組みや、ポリエチレン製買物袋の使用を低減させる取組みが普及することとなる。
【００４９】
このように本実施の形態によれば、１取引で買物客が買い上げた商品を収納するのに適当な買物袋のサイズと枚数とをオペレータが容易に確認・判断することが可能であり、この適当な買物袋のサイズと枚数とに応じたポイントを買物客に付加することが可能となる。
【００５０】
また、ポイントの付加が、１取引に適当なポイントであるため、従来のような、買物袋持参時に一定のポイントを付加する、といった買物客に不平感を与えるようなポイント付加ではなくなる。このため、買物客へ、買物袋を持参すること等によりポリエチレン製買物袋を使用しないという取組みに対して効果的にアピールすることが可能となる。
【００５１】
また、商品４に応じてポイントが変動するため、買物客の購買意欲を刺激することも可能となる。また、商品４又は買物袋の種類及び枚数等により変動するポイントの換算も、オペレータは、オペレータ用ディスプレイ２５を確認するだけでよいため、作業量の増加となることもない。
【００５２】
ポイントをレシートや買物客が例えば店舗のポイント会員となることで、買物客のポイント会員カードにポイントを出力することで、買物客や店舗側がポイントの管理が容易にできるようにもなる。
【００５３】
さらには、これらの実施により、店舗及び買物客共に、使用する買物袋を低減することとなるため、環境保護の観点からも有効となる。
【００５４】
このように、本実施の形態に係る商品販売データ処理装置１によれば、買物客が買い上げた商品４を収納するのに適当な買物袋を提示し、この買物袋に見合ったポイントを自動的に換算することができるようになるため、オペレータの作業性の負担を低減すると共に、買物客に買物袋の使用状況に見合ったポイントによるサービスを提供できるようになる。また、これによる買物客への購買意欲の向上の効果にもなる。さらにはポリエチレン製買物袋の低減から、環境保護の点でも有効なものとなる。
【００５５】
なお、この発明は前記実施形態そのままに限定されるものではなく、実施段階ではその用紙を逸脱しない範囲で構成様相を変形して具体化できる。
【００５６】
例えば、前記実施の形態では、買物袋を選択する際に、商品体積Ｖでのみ買物袋を選択していたが、これを、商品の種類（例えば、通常品、冷凍・冷蔵食品及び加熱食品等）に分割させ、例えばこれら商品の種類により買物袋の選択を別に行うようにしてもよい。
【００５７】
また、商品に設けられたバーコード５を読み取るスキャナ３０を用いたＰＯＳ端末１０を使用するとしたが、これを、バーコード５及びスキャナ３０を用いるのではなく、無線タグ及び無線リーダ・ライタ装置を用いるようにしてもよい。無線タグを用いることで、例えば読み込みに加えて書き込みもできるため、商品の盗難防止等の商品管理も合わせて行えるようになる。
【００５８】
また、上述したポイントや買物袋の種類等も上述した内容に限定されるわけではなく、使用状況、店舗状況等に応じて適宜設定するようにしてもよい。
【００５９】
また、前記実施の形態では、買物袋宣言手段として買物袋が不要の場合に操作される袋不要キー２４２を提示したが、買物袋が必要の場合に操作される袋必要キーを買物袋宣言手段としてキーボード２４に設け、客から買物袋が必要である旨の申し出を受けた場合にキャッシャが当該袋必要キーを操作するようにしてもよい。この場合、図６においてフラグＦを袋必要フラグと定義し、ＳＴ１４の処理にてフラグＦが“１”の場合にはＳＴ１５に、“０”の場合にはＳＴ１６の処理に進むようにすればよい。
【００６０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００６１】
【図１】本実施の形態の商品販売データ処理装置の要部構成を示すブロック図。
【図２】同商品販売データ処理装置に用いられるＰＯＳ端末の要部構成を示すブロック図。
【図３】同商品販売データ処理装置に用いられる袋選択装置の要部構成を示すブロック図。
【図４】買物袋に関する情報が予め設定された買物袋マスターファイルを示す説明図。
【図５】商品に関する情報が予め設定された商品マスターファイルを示す説明図。
【図６】商品販売データ処理システムの基本的な動作を示す流れ図。
【図７】買物袋の選択処理に用いられるワークテーブルを示す説明図。
【図８】買物袋選択処理を示す流れ図。
【図９】ポイント換算処理を示す流れ図
【図１０】ポイント換算処理により換算されたポイントの一例を示す説明図。
【符号の説明】
【００６２】
１…商品販売データ処理装置、２…会計カウンタ、３…買物カゴ、４…商品、５…バーコード、６…第１通信ケーブル、７…第２通信ケーブル、１０…ＰＯＳ端末、１１…ＣＰＵ、３０…スキャナ、４０…袋選択装置、４１…制御部、２４１…締めキー、２４２…袋不要キー。
【図１】
2008171259.tif 000003
【図２】
2008171259.tif 000004
【図３】
2008171259.tif 000005
【図４】
2008171259.tif 000006
【図５】
2008171259.tif 000007
【図６】
2008171259.tif 000008
【図７】
2008171259.tif 000009
【図８】
2008171259.tif 000010
【図９】
2008171259.tif 000011
【図１０】
2008171259.tif 000012